(57)【要約】【課題】針金や棒等によるサムターンの回転を阻止できるとともに、押圧操作のみによっては既存サムターンへの回転入力が行えない後付けの防犯サムターンを得る。【解決手段】防犯サムターン１１において、既存サムターンの摘み２１に被着され摘み２１の回動中心と同軸の軸部２３が突設されるクラッチ１３と、軸部２３に回転自在かつ軸線方向に移動自在となって抜脱不能に外挿されクラッチ１３との相対回転を阻止する係合手段５１を有したクラッチカバー１５と、クラッチカバー１５に揺動自在に取り付けられ軸部２３に係止してクラッチカバー１５の移動を規制するとともに揺動操作されることで、この規制を解除して係合手段５１とクラッチ１３との係合を可能とする揺動摘み１７とを設けた。【選択図】      図１
2004169514.tif 000002
【特許請求の範囲】
【請求項１】
錠箱機構部に回動操作力を入力するサムターン軸と、
該サムターン軸の前記錠箱機構部と反対側の端部に配設されるクラッチと、
前記サムターン軸とクラッチとを覆うとともに、該サムターン軸とクラッチとを回動自在とし抜脱不能に支持して扉面側に固設される基台部と、
該サムターン軸の前記錠箱機構部と反対側の端部に同軸となって設けられ、前記基台部より延出する軸部と、
前記軸部に回転自在かつ軸線方向に移動自在となって抜脱不能に外挿され前記クラッチとの相対回転を阻止する係合手段を有した回転操作部材と、
該回転操作部材に取り付けられ前記軸部に係止して該回転操作部材の軸線方向の移動を規制するとともに摘み操作されることで該規制を解除して前記係合手段と前記クラッチとの係合を可能とする操作部と、
を具備したことを特徴とする防犯サムターン。
【請求項２】
錠箱機構部に回動操作力を入力するサムターン軸と、
該サムターン軸の前記錠箱機構部と反対側の端部に配設されるクラッチと、
前記サムターン軸とクラッチとを覆うとともに、該サムターン軸とクラッチとを回動自在とし抜脱不能に支持して扉面側に固設される基台部と、
該サムターン軸の前記錠箱機構部と反対側の端部に同軸となって設けられ、前記基台部より延出する軸部と、
該軸部に形成される段部と、
前記軸部に回転自在かつ軸線方向に移動自在となって抜脱不能に外挿され前記クラッチとの相対回転を阻止する係合手段を有した回転操作部材と、
該回転操作部材に、該回転操作部材の軸線と直交方向の揺動軸を介して揺動自在に取り付けられ前記段部に当接して該回転操作部材の前記クラッチ側への移動を規制するとともに揺動操作されることで該規制を解除して前記係合手段が係合する方向に前記回転操作部材の移動を可能とする揺動摘みと、
を具備したことを特徴とする防犯サムターン。
【請求項３】
請求項２記載の防犯サムターンであって、
前記回転操作部材が略平板状の摘みを備え、前記揺動摘みが平板状の摘み部を有し、該摘み部が前記摘みと略平行に取り付けられることを特徴とする防犯サムターン。
【請求項４】
請求項１又は２又は３記載の防犯サムターンであって、
前記軸部は前記回転操作部を貫通し、該軸部の表出する先端面に回転位置表示手段が設けられていることを特徴とする防犯サムターン。
【請求項５】
既存サムターンの摘みに被着され前記摘みの回動中心と同軸の軸部が突設されるクラッチと、
前記軸部に回転自在かつ軸線方向に移動自在となって抜脱不能に外挿され前記クラッチとの相対回転を阻止する係合手段を有したクラッチカバーと、
該クラッチカバーに取り付けられ前記軸部に係止して該クラッチカバーの軸線方向の移動を規制するとともに摘み操作されることで該規制を解除して前記係合手段と前記クラッチとの係合を可能とする操作部と、
を具備したことを特徴とする防犯サムターン。
【請求項６】
既存サムターンの摘みに被着され前記摘みの回動中心と同軸の軸部が突設されるクラッチと、
前記軸部に回転自在かつ軸線方向に移動自在となって抜脱不能に外挿され前記クラッチとの相対回転を阻止する係合手段を有したクラッチカバーと、
該クラッチカバーに揺動自在に取り付けられ前記軸部に係止して該クラッチカバーの移動を規制するとともに揺動操作されることで該規制を解除して前記係合手段と前記クラッチとの係合を可能とする揺動摘みと、
を具備したことを特徴とする防犯サムターン。
【請求項７】
既存サムターンの摘みに被着される円形基台部を有し該円形基台部に、前記摘みの回動中心と同軸の軸部が突設されるクラッチと、
該クラッチの前記軸部に形成された段部と、
前記軸部に回転自在かつ軸線方向に移動自在となって抜脱不能に外挿され前記円形基台部を覆うとともに前記クラッチとの相対回転を阻止する係合手段を有したクラッチカバーと、
該クラッチカバーに、該クラッチカバーの軸線と直交方向の揺動軸を介して揺動自在に取り付けられ前記段部に当接して該クラッチカバーの前記クラッチ側への移動を規制するとともに揺動操作されることで該規制を解除して前記係合手段が係合する方向に前記クラッチカバーの移動を可能とする揺動摘みと、
を具備したことを特徴とする防犯サムターン。
【請求項８】
請求項６又は７記載の防犯サムターンであって、
前記揺動摘みが平板状の摘み部を有し、該摘み部が前記既存サムターンの摘みと略平行に取り付けられたことを特徴とする防犯サムターン。
【請求項９】
既存サムターンの摘みに被着される円形基台部を有し該円形基台部に、前記摘みの回動中心と同軸の軸部が突設されるクラッチと、
該クラッチの前記軸部に形成された段部と、
前記軸部に回転自在かつ軸線方向に移動自在となって抜脱不能に外挿され前記円形基台部を覆うとともに前記クラッチとの相対回転を阻止する係合手段を有したクラッチカバーと、
該クラッチカバーに、該クラッチカバーの軸線と直交方向に挿着されて摺動自在に取り付けられ前記段部に当接して該クラッチカバーの前記クラッチ側への移動を規制するとともに摺動操作されることで該規制を解除して前記係合手段が係合する方向に前記クラッチカバーの移動を可能とする摺動摘みと、
を具備したことを特徴とする防犯サムターン。
【請求項１０】
請求項９記載の防犯サムターンであって、
前記クラッチカバーは前記軸部が貫通され、該軸部の表出する先端面に回転位置表示手段が設けられていることを特徴とする防犯サムターン。
【発明の詳細な説明】
【０００１】
【発明の属する技術分野】
本発明は、扉の施解錠操作に用いられる防犯サムターン、或いは既存のサムターンを覆う後付け用の防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から棒や針金等を挿入し、回転操作の容易なサムターンに係止して回転させ、施錠装置を解錠する不正解錠が増えている。
この出願の発明に関連する先行技術文献情報としては次のものがある。
【０００４】
【特許文献１】
実公平４−４０３６２号公報
【０００５】
このようなサムターンに針金等を係止して回転させることを防止するものに例えば上記特許文献１に開示されるサムターン用防犯カバーがある。
この防犯カバー１は、図１９，図２０に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００６】
また、上記した防犯カバーの別態様として、図２１に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。
このようにすることで、係止作業という簡単な作業で、防犯カバー１の着脱が行える。さらに係止部６ａで本体部６が空転することにより、針金等を係止させて回転させることが不可能となる。
【０００７】
さらに、上記した防犯カバーの別態様として、図２２に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００８】
【発明が解決しようとする課題】
しかしながら、図１９，図２０に示した防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
また、図２１に示した防犯カバーは、サムターンを回転操作可能にする取付部と、この取付部に対し空転しかつ着脱可能となる本体部とから構成されているため、脱着した本体部の保管管理が煩雑となり、本体部を紛失する虞もあった。
さらに、図２２に示した防犯カバーは、サムターンを回転させたいときは、本体部を任意の回転位置で押圧すればよいため、何らかの方法により押圧が可能となれば、サムターンの回転が可能となり、防犯性を十分に高めることができなかった。
【０００９】
本発明は上記状況に鑑みてなされたもので、その第一の目的は、針金や棒等によるサムターンの回転を阻止できるとともに、押圧操作のみによっては錠箱機構部に回転操作力を入力不可能とする、或いは、既存サムターンへの回転入力が行えない防犯サムターンを提供し、防犯性のさらなる向上を図ることにある。また、その第二の目的は、着脱部材が不要であり、且つサムターンの回転位置が容易に視認できる防犯サムターンを提供し、操作性の向上を図ることにある。
【００１０】
【課題を解決するための手段】
次に、上記の課題を解決するための手段を、実施の形態に対応する図面を参照して説明する。
この発明の請求項１記載の防犯サムターン２１１は、錠箱機構部３０１に回動操作力を入力するサムターン軸２２１と、
該サムターン軸２２１の前記錠箱機構部３０１と反対側の端部に配設されるクラッチ２１３と、
前記サムターン軸２２１とクラッチ２１３とを覆うとともに、該サムターン軸２２１とクラッチ２１３とを回動自在とし抜脱不能に支持して扉面８７側に固設される基台部２１９と、
該サムターン軸２２１の前記錠箱機構部３０１と反対側の端部に同軸となって設けられ、前記基台部２１９より延出する軸部２２３と、
前記軸部２２３に回転自在かつ軸線方向に移動自在となって抜脱不能に外挿され前記クラッチ２１３との相対回転を阻止する係合手段２５１を有した回転操作部材２１５と、
該回転操作部材２１５に取り付けられ前記軸部２２３に係止して該回転操作部材２１５の軸線方向の移動を規制するとともに摘み操作されることで該規制を解除して前記係合手段２５１と前記クラッチ２１３との係合を可能とする操作部２１７と、
を具備したことを特徴とする。
【００１１】
請求項２記載の防犯サムターン２１１は、錠箱機構部３０１に回動操作力を入力するサムターン軸２２１と、
該サムターン軸２２１の前記錠箱機構部３０１と反対側の端部に配設されるクラッチ２１３と、
前記サムターン軸２２１とクラッチ２１３とを覆うとともに、該サムターン軸２２１とクラッチ２１３とを回動自在とし抜脱不能に支持して扉面８７側に固設される基台部２１９と、
該サムターン軸２２１の前記錠箱機構部３０１と反対側の端部に同軸となって設けられ、前記基台部２１９より延出する軸部２２３と、
該軸部２２３に形成される段部２２７と、
前記軸部２２３に回転自在かつ軸線方向に移動自在となって抜脱不能に外挿され前記クラッチ２１３との相対回転を阻止する係合手段２５１を有した回転操作部材２１５と、
該回転操作部材２１５に、該回転操作部材２１５の軸線と直交方向の揺動軸２６１を介して揺動自在に取り付けられ前記段部２２７に当接して該回転操作部材２１５の前記クラッチ２１３側への移動を規制するとともに揺動操作されることで該規制を解除して前記係合手段２５１が係合する方向に前記回転操作部材２１５の移動を可能とする揺動摘み２１７と、
を具備したことを特徴とする。
【００１２】
このような防犯サムターン２１１では、軸部２２３に対して、回転操作部材２１５が回動自在となり、これにより、針金や棒等を用いても、錠箱機構部３０１への回転力の入力が阻止される。そして、その操作力を錠箱機構部３０１へと伝達するには、揺動摘み２１７を摘み、揺動摘み２１７とともに回転操作部材２１５を押しながら回転しなければならないため、針金により揺動摘み２１７を不正に操作しようとしても、回転操作部材２１５が空転するのみとなる。すなわち、摘みながら押して回すという三つの動作を同時に行わなければならず、指による直接的な操作以外では操作が極めて困難となり、針金や棒を使用しての解錠が殆ど不可能となる。また、揺動摘み２１７を摘んで、回転操作する動作は、従来からのサムターンの操作と略同じとなり、それに新たに押す動作が加わるものの、手指による操作時ではこの押し動作は比較的容易に行えるので、違和感のない施解錠操作が可能となる。
【００１３】
また、回転操作部材２１５に設けられた揺動摘み２１７が段部２２７に当接してクラッチ側への移動が規制される一方、この揺動摘み２１７が揺動操作されることで、規制が解除されて、回転操作部材２１５の移動が可能となる。これにより揺動摘み２１７の揺動操作（すなわち、摘み操作）によって、回転操作部材２１５を移動規制及び規制解除する機構が簡単な構造で実現可能となる。
【００１４】
請求項３記載の防犯サムターン２１１は、請求項２記載の防犯サムターン２１１であって、
前記回転操作部材２１５が略平板状の摘みを備え、前記揺動摘み２１７が平板状の摘み部２１７ｂを有し、該摘み部２１７ｂが前記摘みと略平行に取り付けられることを特徴とする。
【００１５】
この防犯サムターン２１１では、回転操作部材２１５を略平板状としたことで、施解錠の操作を行う際に、摘み易くなり、その操作性が向上する。
【００１６】
請求項４記載の防犯サムターン２１１は、請求項１又は２又は３記載の防犯サムターンであって、
前記軸部２２３は前記回転操作部材２１５を貫通し、該軸部２２３の表出する先端面２２３ａに回転位置表示手段２２６が設けられていることを特徴とする。
【００１７】
この防犯サムターン２１１では、回転自在な回転操作部材２１５により施錠状態或いは解錠状態の錠箱機構部３０１内の視認できなくなった状態が、回転位置表示手段１２６を介して知ることができ、操作性を向上させることができる。
【００１８】
請求項５記載の防犯サムターン１１，１１１は、既存サムターンの摘み２１に被着され前記摘み２１の回動中心と同軸の軸部２３，１２３が突設されるクラッチ１３，１１３と、
前記軸部２３，１２３に回転自在かつ軸線方向に移動自在となって抜脱不能に外挿され前記クラッチ１３，１１３との相対回転を阻止する係合手段５１，１５１を有したクラッチカバー１５，１１５と、
該クラッチカバー１５，１１５に取り付けられ前記軸部２３，１２３に係止して該クラッチカバー１５，１１５の軸線方向の移動を規制するとともに摘み操作されることで該規制を解除して前記係合手段５１，１５１と前記クラッチ１３，１１３との係合を可能とする操作部１７，１１７と、
を具備したことを特徴とする。
【００１９】
このような防犯サムターン１１，１１１では、既存サムターンの摘み２１がクラッチ１３，１１３で覆われ、このクラッチ１３，１１３がさらにクラッチカバー１５，１５１で覆われるので、針金や棒等を用いても、滑りにより回転力の入力が阻止される。そして、操作部１７，１１７の操作力を既存サムターンの摘み２１に伝達するには、操作部１７，１１７を摘み、操作部１７，１１７とともにクラッチカバー１５，１１５を押しながら回転しなければならないため、針金により揺動摘みを不正に操作しようとしても、クラッチカバー１５，１１５が空転するのみとなる。すなわち、摘みながら押して回すという三つの動作を同時に行わなければならず、指による直接的な操作以外では操作が極めて困難となり、針金や棒を使用しての解錠が殆ど不可能となる。また、操作部１７，１１７を摘んで、回転操作する動作は既存サムターンの摘み２１と同じとなり、それに新たに押す動作が加わるものの、手指による操作時ではこの押し動作は比較的容易に行えるので、違和感のない施解錠操作が可能となる。
【００２０】
請求項６記載の防犯サムターン１１は、既存サムターンの摘み２１に被着され前記摘み２１の回動中心と同軸の軸部２３が突設されるクラッチ１３と、
前記軸部２３に回転自在かつ軸線方向に移動自在となって抜脱不能に外挿され前記クラッチ１３との相対回転を阻止する係合手段５１を有したクラッチカバー１５と、
該クラッチカバー１５に揺動自在に取り付けられ前記軸部２３に係止して該クラッチカバー１５の移動を規制するとともに揺動操作されることで該規制を解除して前記係合手段５１と前記クラッチ１３との係合を可能とする揺動摘み１７と、
を具備したことを特徴とする。
【００２１】
このような防犯サムターン１１では、既存サムターンの摘み２１がクラッチ１３で覆われ、このクラッチ１３がさらに円形のクラッチカバー１５で覆われるので、針金や棒等を用いても、滑りにより回転力の入力が阻止される。そして、揺動摘み１７の操作力を既存サムターンの摘み２１に伝達するには、揺動摘み１７を摘み、揺動摘み１７とともにクラッチカバー１５を押しながら回転しなければならないため、針金により揺動摘みを不正に操作しようとしても、クラッチカバー１５が空転するのみとなる。すなわち、摘みながら押して回すという三つの動作を同時に行わなければならず、指による直接的な操作以外では操作が極めて困難となり、針金や棒を使用しての解錠が殆ど不可能となる。また、揺動摘み１７を摘んで、回転操作する動作は既存サムターンの摘み２１と同じとなり、それに新たに押す動作が加わるものの、手指による操作時ではこの押し動作は比較的容易に行えるので、違和感のない施解錠操作が可能となる。
【００２２】
請求項７記載の防犯サムターン１１は、既存サムターンの摘み２１に被着される円形基台部１９を有し該円形基台部１９に、前記摘み２１の回動中心と同軸の軸部２３が突設されるクラッチ１３と、
該クラッチの前記軸部に形成された段部２７と、
前記軸部２３に回転自在かつ軸線方向に移動自在となって抜脱不能に外挿され前記円形基台部１９を覆うとともに前記クラッチ１３との相対回転を阻止する係合手段５１を有したクラッチカバー１５と、
該クラッチカバー１５に、該クラッチカバー１５の軸線と直交方向の揺動軸６１を介して揺動自在に取り付けられ前記段部２７に当接して該クラッチカバー１５の前記クラッチ側への移動を規制するとともに揺動操作されることで該規制を解除して前記係合手段５１が係合する方向に前記クラッチカバー１５の移動を可能とする揺動摘み１７と、
を具備したことを特徴とする。
【００２３】
この防犯サムターン１１では、クラッチカバー１５に設けられた揺動摘み１７が段部２７に当接してクラッチ側への移動が規制される一方、この揺動摘み１７が揺動操作されることで、規制が解除されて、クラッチカバー１５の移動が可能となる。これにより揺動摘み１７の揺動操作（すなわち、摘み操作）によって、クラッチカバー１５を移動規制及び規制解除する機構が簡単な構造で実現可能となる。
【００２４】
請求項８記載の防犯サムターン１１は、請求項６又は７記載の防犯サムターンであって、
前記揺動摘み１７が平板状の摘み部１７ｂを有し、該摘み部１７ｂが前記既存サムターンの摘み２１と略平行に取り付けられたことを特徴とする。
【００２５】
この防犯サムターン１１では、揺動摘み１７の平板状の摘み部１７ｂが既存サムターンの摘み２１と平行に取り付けられていることで、既存サムターンの施解錠状態が一目瞭然となり、所望の操作前に、クラッチカバー１５を一旦回して既存サムターンの施解錠状態を確認するなどの動作が不要になり、操作性が向上する。
【００２６】
請求項９記載の防犯サムターン１１１は、既存サムターンの摘み２１に被着される円形基台部１１９を有し該円形基台部１１９に、前記摘み２１の回動中心と同軸の軸部１２３が突設されるクラッチ１１３と、
該クラッチ１１３の前記軸部１２３に形成された段部１２７と、
前記軸部１２３に回転自在かつ軸線方向に移動自在となって抜脱不能に外挿され前記円形基台部１１９を覆うとともに前記クラッチ１１３との相対回転を阻止する係合手段１５１を有したクラッチカバー１１５と、
該クラッチカバー１１５に、該クラッチカバー１１５の軸線と直交方向に挿着されて摺動自在に取り付けられ前記段部１２７に当接して該クラッチカバー１１５の前記クラッチ１１３側への移動を規制するとともに摺動操作されることで該規制を解除して前記係合手段１５１が係合する方向に前記クラッチカバー１１５の移動を可能とする摺動摘み１１７と、
を具備したことを特徴とする。
【００２７】
この防犯サムターン１１１によれば、既存サムターンの摘み２１がクラッチ１１３で覆われ、このクラッチ１１３がさらに円形のクラッチカバー１１５で覆われるので、針金や棒等を用いても、滑りにより回転力の入力が阻止される。そして、摺動摘み１１７の操作力を既存サムターンの摘み２１に伝達するには、摺動摘み１１７を摘み、摺動摘み１１７とともにクラッチカバー１１５を押しながら回転しなければならないため、針金により摺動摘み１１７を不正に操作しようとしても、クラッチカバー１１５が空転するのみとなる。すなわち、摘みながら押して回すという三つの動作を同時に行わなければならず、指による直接的な操作以外では操作が極めて困難となり、針金や棒を使用しての解錠が殆ど不可能となる。また、摺動摘み１１７を摘んで、回転操作する動作は既存サムターンの摘み２１と同じとなり、それに新たに押す動作が加わるものの、手指による操作時ではこの押し動作は比較的容易に行えるので、違和感のない施解錠操作が可能となる。
【００２８】
また、クラッチカバー１１５に設けられた摺動摘み１１７が段部１２７に当接してクラッチ側への移動が規制される一方、この摺動摘み１１７が摺動操作されることで、規制が解除されて、クラッチカバー１１５の移動が可能となる。これにより摺動摘み１１７の摺動操作（すなわち、摘み操作）によって、クラッチカバー１１５を移動規制及び規制解除する機構が簡単な構造で実現可能となる。
【００２９】
請求項１０記載の防犯サムターン１１１は、請求項９記載の防犯サムターン１１１であって、
前記クラッチカバー１１５は前記軸部１２３が貫通され、該軸部１２３の表出する先端面１２３ａに回転位置表示手段１２６が設けられていることを特徴とする。
【００３０】
この防犯サムターン１１１では、クラッチカバー１１５等で覆われることで視認できなくなった摘み２１の回転位置が、回転位置表示手段１２６を介して知ることができ、操作性を向上させることができる。
【００３１】
【発明の実施の形態】
以下、本発明に係る防犯サムターンの好適な実施の形態を図面を参照して詳細に説明する。
【００３２】
第一の実施の形態
まず、第一の実施の形態について説明する。
図１は本発明に係る防犯サムターンの第一の実施の形態の分解斜視図、図２は図１に示した防犯サムターンの一部を切り欠いた分解側面図、図３は図１に示した防犯サムターンにおける通常時の縦断面視を（ａ）、正面視を（ｂ）に表した動作説明図、図４は図１に示した防犯サムターンにおける摘み操作時の縦断面視を（ａ）、正面視を（ｂ）に表した動作説明図、図５は図１に示した防犯サムターンにおける押込み時の縦断面視を表した動作説明図である。
【００３３】
この第一の実施の形態による防犯サムターン１１は、その主要な構成として、図１に示すクラッチ１３と、クラッチカバー１５と、揺動摘み１７とを有している。
【００３４】
クラッチ１３は、円形基台部１９を有し、この円形基台部１９には既存サムターンの摘み２１の回動中心と同軸の軸部２３が突設される。軸部２３の基端には周溝２５が形成されている。この周溝２５は、後述の説明で明らかとなるように、クラッチカバー１５を抜脱不能に規制するものとなる。
【００３５】
軸部２３の先端には段部２７が形成されている。段部２７は、先端側の小径部２９と基端側の大径部３１とが連設されることで形成されている。なお、段部２７は、軸部２３の中央部に形成することもできる。この段部２７は、後述の説明で明らかとなるように、揺動摘み１７が当接し、クラッチカバー１５の軸線方向の移動を規制するものとなる。
【００３６】
クラッチ１３は、円形基台部１９が既存サムターンの摘み２１に被着される。この被着は、円形基台部１９の軸部突出側の面１３ａと反対側の面１３ｂに、摘み２１の嵌入する嵌入溝３３（図２参照）を形成し、この嵌入溝３３に貫通するメネジ３５に、止めネジ３７を螺合することにより、止めネジ３７の先端を既存サムターンの摘み２１に圧接して行われる。この止めネジ３７には、例えば、六角穴付きネジが好適となる。なお、この被着には、粘着テープや接着剤が使用されてもよい。
【００３７】
クラッチ１３は、円形基台部１９の軸部突出側の面１３ａに、クラッチ側係合手段３９を有している。クラッチ側係合手段３９は、円形基台部１９の周縁を軸線方向に突出させた複数の歯４１を円周方向に等間隔で配設してなる。このクラッチ側係合手段３９は、クラッチカバー１５に設けられる後述のカバー側係合手段に噛合する。
【００３８】
クラッチカバー１５は、外形状が略円錐台形状に形成される。クラッチカバー１５は、このような円形状となることで、針金等による引っ掛かりが防止できるようになっている。先細となった先端には枠状の挟持部４３が突設されている。クラッチカバー１５は、内部が中空となり、後端がフレア部４５となって広がる。クラッチカバー１５の内部には軸線と同軸の筒部４７が後端に向けて突出され、筒部４７の先端には内方へ突出した爪４９が形成されている。この筒部４７は、クラッチ１３の軸部２３に回動自在に外挿される。軸部２３に外挿された筒部４７は、爪４９を周溝２５に係合することにより、軸部２３からの抜脱が規制される。
【００３９】
ここで、爪４９は、周溝２５の軸線方向に移動自在に係合する。つまり、クラッチカバー１５は、軸部２３に対して回転自在かつ軸線方向に移動自在となって抜脱不能に外挿されている。クラッチカバー１５は内部に係合手段としてのカバー側係合手段５１を有している。カバー側係合手段５１は、複数の歯５３を筒部４７と同一中心の円周方向に等間隔で配設してなる。このカバー側係合手段５１は、上記したクラッチ側係合手段３９に噛合可能となっている。
【００４０】
クラッチカバー１５は、上記のように爪４９を周溝２５に係合して軸部２３に抜脱不能に外挿されて取り付けられる。このようにして取り付けられたクラッチ１３とクラッチカバー１５との間には付勢手段である圧縮バネ５５が配設され、圧縮バネ５５はクラッチカバー１５を軸部２３の突出方向に付勢する。したがって、クラッチカバー１５は、押すことにより、圧縮バネ５５の付勢力に抗してクラッチ１３に接近する方向（図２の左方向）に移動される。クラッチ１３とクラッチカバー１５とは、この押込みにより、クラッチ側係合手段３９とカバー側係合手段５１とが噛合して、相対回転が規制されるようになっている。
【００４１】
クラッチカバー１５は、圧縮バネ５５によって付勢された位置で、図３（ａ）に示すように、フレア部４５によってクラッチ１３の円形基台部１９を覆うようになっている。つまり、フレア部４５と円形基台部１９とは、図３に示すように、オーバーハングしている。フレア部４５には貫通穴５７が穿設され、貫通穴５７は、クラッチカバー１５を押込んだ位置で円形基台部１９のメネジ３５に一致するようになっている。
【００４２】
クラッチカバー１５には、クラッチカバー１５の軸線と直交方向の揺動軸６１を介して揺動自在となった操作部としての一対の揺動摘み１７，１７が取り付けられている。揺動摘み１７は、揺動軸６１を挟み一端が揺動端１７ａとなり、他端が平板状の摘み部１７ｂとなっている。この摘み部１７ｂは、既存サムターンの摘み２１と略平行となるように取り付けられている。
【００４３】
一対の揺動摘み１７，１７は、枠状の挟持部４３の内方に配設された圧縮バネ６３によって摘み部１７ｂ，１７ｂ同士が離反方向に付勢されている。したがって、通常時、揺動摘み１７の揺動端１７ａ，１７ａは、軸部２３先端の小径部２９を挟持した状態となって段部２７に当接し、クラッチカバー１５のクラッチ１３側への移動を規制している。
【００４４】
一方、揺動摘み１７は、図４に示すように、摘み部１７ｂ，１７ｂ同士が接近する方向に摘まれることで、揺動端１７ａ，１７ａが離反し、段部２７と当接状態でなくなる。つまり、クラッチカバー１５の移動規制が解除されるようになっている。これにより、クラッチカバー１５は、図５に示すように、カバー側係合手段５１がクラッチ側係合手段３９に係合する方向に押込み可能となる。
【００４５】
なお、本実施の形態では、揺動摘み１７が二つ設けられる場合を例に説明しているが、本発明に係る防犯サムターンは、揺動摘み１７を一つとしても同様の作用を奏するものである。
【００４６】
防犯サムターン１１は、さらに、既存サムターンの摘み２１，クラッチ１３，クラッチカバー１５の一部を覆う化粧リング７１と、この化粧リング７１を既存サムターンの化粧リング７３に取り付けるための一対の取付板７５，７５とを備えている。
【００４７】
後付け化粧リング７１は、円錐筒状に形成され、止めネジ３７を挿通するための貫通穴７７が穿設される。また、内部後端側には、取付板７５，７５に係止するための係止爪７９，７９を有している。
【００４８】
取付板７５は、半円環状に形成され、両端が相互に係合する凹凸部８１，８３となっている。また、取付板７５，７５の円周方向略中央部には、枠状の係止部８５が立設され、この係止部８５は後付け化粧リング７１の係止爪７９に係止するようになっている。
【００４９】
上記のように構成される防犯サムターン１１を、既存サムターンの摘み２１に取り付けるには、先ず、既存の化粧リング７３と扉面８７との間に図２に示す間隙８９を形成し、この間隙８９に上下から取付板７５，７５を挿入し、凹凸部８１，８３を係合させて円環状に組付ける。間隙８９に挿入された取付板７５，７５は、図示しない化粧リング７３のスプリングによって、化粧リング７３と扉面８７との間に挟着される。
【００５０】
次いで、化粧リング７３に後付け化粧リング７１を外挿し、取付板７５，７５の係止部８５に係止爪７９を係止して後付け化粧リング７１を取り付ける。次いで、クラッチ１３，クラッチカバー１５，揺動摘み１７を予め一体に組み付けたものを、後付け化粧リング７１に挿入する。そして、クラッチカバー１５を押圧することにより、クラッチカバー１５の貫通穴５７を、後付け化粧リング７１の貫通穴７７，クラッチ１３のメネジ３５に一致させ、後付け化粧リング７１の貫通穴７７からメネジ３５に止めネジ３７を螺合し、六角レンチで締めることにより、クラッチ１３を既存サムターンの摘み２１に固定する。これにより、防犯サムターン１１の取り付けが完了する。なお、貫通穴７７には、図示しないがキャップ等を嵌め閉塞させることが好ましい。
【００５１】
次に、このようにして、既存サムターンの摘み２１に取り付けられた防犯サムターン１１の動作を説明する。
防犯サムターン１１は、通常時、クラッチカバー１５が回動自在となる。その一方、クラッチカバー１５は、揺動摘み１７の揺動端１７ａが段部２７に当接していることで、軸線方向には移動（押込み）不能となる。
【００５２】
解錠操作時には、揺動摘み１７，１７を摘む。すると、揺動摘み１７の揺動端１７ａが段部２７から外れ、クラッチカバー１５の移動規制が解除されて、クラッチ１３に接近する方向への移動、すなわち押込みが可能となる。この状態で、揺動摘み１７，１７を摘みながら、クラッチカバー１５を押込むと、クラッチカバー１５のカバー側係合手段５１が、クラッチ１３のクラッチ側係合手段３９に噛合して、クラッチカバー１５とクラッチ１３との相対回転が規制されて、クラッチカバー１５の回転操作力がクラッチ１３へ伝達可能となる。
【００５３】
すなわち、揺動摘み１７，１７を摘みながらクラッチカバー１５を押込み、さらにクラッチカバー１５を解錠方向に回転することで、クラッチ１３が回転され、クラッチ１３に固着された既存サムターンの摘み２１が解錠回転される。
【００５４】
施錠方法は、この解錠方法と同様にして行うことができる。
【００５５】
このように、上記したこの防犯サムターン１１によれば、既存サムターンの摘み２１がクラッチ１３で覆われ、このクラッチ１３がさらに円形のクラッチカバー１５で覆われるので、針金や棒等を用いても、滑りにより回転力の入力が阻止される。そして、揺動摘み１７の操作力を既存サムターンの摘み２１に伝達するには、揺動摘み１７を摘み、揺動摘み１７とともにクラッチカバー１５を押しながら回転しなければならないため、針金により揺動摘み１７を不正に操作しようとしても、クラッチカバー１５が空転するのみとなる。
すなわち、摘みながら押して回すという三つの動作を同時に行わなければならず、指による直接的な操作以外では操作が極めて困難となり、針金や棒を使用しての解錠が殆ど不可能となる。また、揺動摘み１７を摘んで、回転操作する動作は既存サムターンの摘み２１と同じとなり、それに新たに押す動作が加わるものの、手指による操作時ではこの押し動作は比較的容易に行えるので、違和感のない施解錠操作が可能となる。
【００５６】
また、クラッチカバー１５に設けられた揺動摘み１７が段部２７に当接してクラッチ側への移動が規制される一方、この揺動摘み１７が揺動操作されることで、規制が解除されて、クラッチカバー１５の移動が可能となる。これにより揺動摘み１７の揺動操作（すなわち、摘み操作）によって、クラッチカバー１５を移動規制及び規制解除する機構が簡単な構造で実現可能となる。
【００５７】
さらに、揺動摘み１７の平板状の摘み部１７ｂが既存サムターンの摘み２１と平行に取り付けられていることで、操作時における既存サムターンの施解錠状態が一目瞭然となり、所望の操作前に、クラッチカバー１５を一旦回して既存サムターンの施解錠状態を確認するなどの必要がなくなり、操作性が向上する。
【００５８】
第二の実施の形態
次に第二の実施の形態について説明する。
図６は本発明に係る防犯サムターンの第二の実施の形態の分解斜視図、図７は図６に示した防犯サムターンの一部を切り欠いた分解側面図、図８は同防犯サムターンのクラッチカバーの一部を示す分解斜視図、図９は図６に示した防犯サムターンにおける通常時の縦断面視を（ａ），正面視を（ｂ）に表した動作説明図、図１０は図６に示した防犯サムターンにおける摘み操作時の縦断面視を表した動作説明図、図１１は図６に示した防犯サムターンにおける押込み時の縦断面視を表した動作説明図である。
【００５９】
この第二の実施の形態による防犯サムターン１１１は、その主要な構成として、図６に示すクラッチ１１３と、クラッチカバー１１５と、摺動摘み１１７とを有している。
【００６０】
クラッチ１１３は、円形基台部１１９を有し、この円形基台部１１９には既存サムターンの摘み２１の回動中心と同軸の軸部１２３が突設される。本実施の形態では、円形基台１１９と軸部１２３とが別体構成とされ、図７に示すように、ネジ１２４などの固定手段にて締結固定されている。
【００６１】
軸部１２３の先端側には段部１２７が形成されている。段部１２７は、先端側の小径部１２９とフランジ状の大径部１３１とが連設されることで形成されている。この段部１２７は、後述の説明で明らかとなるように、摺動摘み１１７が当接し、クラッチカバー１１５の軸線方向の移動を規制するものとなる。
また、軸部１２３は先端にやや細径な端部１２５を有し、その先端面１２３ａには、回転位置表示手段１２６が設けられる。この回転位置表示手段１２６は、微小な凹凸による標示、印刷や刻印、或いは部分的な着色による色分け等とされる。例えば、図９に示すように、解錠時では回転位置表示手段１２６は縦長状とされており、施錠する場合、すなわち、時計回りに９０度回転させると、横長状となり、解錠時と施錠時とが容易に識別可能となっており、これら向きが後述する嵌入溝１３３の向きと一致するように設けられる。
【００６２】
クラッチ１１３は、円形基台部１１９が既存サムターンの摘み２１に被着される。この被着は、円形基台部１１９の軸部突出側の面１１３ａと反対側の面１１３ｂに、摘み２１の嵌入する嵌入溝１３３（図７参照）を形成し、この嵌入溝１３３に貫通するメネジ１３５に、止めネジ１３７を螺合することにより、止めネジ１３７の先端を既存サムターンの摘み２１に圧接して行われる。なお、この被着には、粘着テープや接着剤が使用されてもよく、その場合、上記したメネジ１３５，止めネジ１３７は設けられなくとも良い。
【００６３】
クラッチ１１３は、円形基台部１１９の軸部突出側の面１１３ａに、クラッチ側係合手段１３９を有している。クラッチ側係合手段１３９は、円形基台部１１９の周縁を軸線方向に突出させた複数の歯１４１を円周方向に等間隔で配設してなる。このクラッチ側係合手段１３９は、クラッチカバー１１５に設けられる後述のカバー側係合手段１５１に噛合する。
【００６４】
クラッチカバー１１５は、本実施の形態では、基端側カバー１１５Ａと先端側カバー１１５Ｂとの２分割構造とされている。基端側カバー１１５Ａは、略円筒形状に形成され、先端側カバー１１５Ｂは表面が略球面状の湾曲面とされた円板状に形成される。これら基端側カバー１１５Ａと先端側カバー１１５Ｂとはネジなどの固定手段（図示せず）にて一体に連結されており、これら部材よりなるクラッチカバー１１５は、このような円形状となることで、針金等による引っ掛かりが防止できるようになっている。なお、互いを連結する固定手段であるネジは、基端側カバー１１５Ａ内より螺着され、表面にはネジ頭が表出しない。
【００６５】
基端側カバー１１５Ａは、内部が中空となり、後端がフレア部１４５となって広がる。基端側カバー１１５Ａの先端側には、中央に貫通穴１４７が形成され、クラッチ１１３の軸部１２３が貫通し回動自在に外挿される。また、この貫通穴１４７には先端側に大径となる段部１４７ａが形成され、軸部１２３の段部１２７の大径部１３１の後端に当接となる。先端側カバー１１５Ｂは、中央に貫通穴１４８が形成され軸部１２３の先端に外挿される。そして、この軸部１２３に外挿されたこれら基端側カバー１１５Ａと先端側カバー１１５Ｂとで、軸部１２３からの抜脱が規制される。
【００６６】
ここで、基端側カバー１１５Ａの貫通穴１４８は、軸部１２３の軸線方向に移動自在に外挿となる。つまり、クラッチカバー１１５は、軸部１２３に対して回転自在かつ軸線方向に移動自在となって軸部１２３の段部１２７によって抜脱不能に外挿されている。
基端側カバー１１５Ａは内部に係合手段としてのカバー側係合手段１５１を有している。カバー側係合手段１５１は、複数の歯１５３を貫通穴１４７と同一中心の円周方向に等間隔で配設してなる。このカバー側係合手段１５１は、上記したクラッチ側係合手段１３９に噛合可能となっている。
【００６７】
クラッチカバー１１５は、上記のように基端側カバー１１５Ａと先端側カバー１１５Ｂのそれぞれの貫通穴１４７，１４８により軸部１２３に抜脱不能に外挿されて取り付けられる。このようにして取り付けられたクラッチ１１３とクラッチカバー１１５との間には付勢手段である圧縮バネ１５５が配設され、圧縮バネ１５５はクラッチカバー１１５を軸部１２３の突出方向に付勢する。したがって、クラッチカバー１１５は、押すことにより、圧縮バネ１５５の付勢力に抗してクラッチ１１３に接近する方向（図７の左方向）に移動される。クラッチ１１３とクラッチカバー１１５とは、この押込みにより、クラッチ側係合手段１３９とカバー側係合手段１５１とが噛合して、相対回転が規制されるようになっている。
【００６８】
クラッチカバー１１５は、圧縮バネ１５５によって付勢された位置で、図９（ａ）に示すように、フレア部１４５によってクラッチ１１３の円形基台部１１９を覆うようになっている。つまり、フレア部１４５と円形基台部１１９とは、図９に示すように、オーバーハングしている。フレア部１４５には貫通穴１５７が穿設され、貫通穴１５７は、クラッチカバー１１５を押込んだ位置で円形基台部１１９のメネジ１３５に一致するようになっている。
なお、このクラッチカバー１１５の基端側カバー１１５Ａのフレア部１４５外周面には、フランジ状の係合突条１４６が設けられている。この係合突条１４６は、後述する後付け化粧リング１７１を支持する。
【００６９】
クラッチカバー１１５には、クラッチカバー１１５の軸線と直交方向に摺動自在となった操作部としての一対の摺動摘み１１７，１１７が取り付けられている。この摺動摘み１１７は、先端側カバー１１５Ｂの基端側面に凹設された摺動溝１５８内に配設される。摺動溝１５８は、先端側カバー１１５Ｂ中央の貫通穴１４８に連通し、この貫通穴１４８に対して半径方向外側に向いて対となって形成され、基端側カバー１１５Ａの先端側端面との間で略管状の空間を形成する。すなわち、これら摺動摘み１１７，１１７は先端側カバー１１５Ｂと基端側カバー１１５Ａとに挟持されるように配設される。摺動摘み１１７は、図８に示すように、略コ字状に形成され、一端が係合部１１７ａとされ、他端が操作部１１７ｂとなっている。操作部１１７ｂは、外側面が湾曲形成されクラッチカバー１１５の外周面に表出し、中途部分が軸部１２３の半部をオーバーハングして、係合部１１７ａが操作部１１７ｂに対して軸部１２３を挟み反対側に延出するように取り付けられる。
【００７０】
一対の摺動摘み１１７，１１７は、各摺動溝１５８内を軸部１２３の軸線方向に対して直交する方向に摺動するとともに、摺動溝１５８の中途に形成される屈曲段部１５８ａとの間に装着される圧縮バネ１６３，１６３によって、各操作部１１７ｂ，１１７ｂが互いに離反方向に付勢されている。したがって、通常時、摺動摘み１１７の係合部１１７ａ，１１７ａは、軸部１２３先端の小径部１２９に当接し、互いで挟持した状態となって段部１２７に当接し、クラッチカバー１１５のクラッチ１１３側への移動を規制している。また、この状態で、各操作部１１７ｂ，１１７ｂがクラッチカバー１１５の外周面にやや突出して位置する（図９（ｂ）参照）。
【００７１】
一方、摺動摘み１１７は、図１０に示すように、操作部１１７ｂ，１１７ｂ同士が接近する方向に摘まれ摺動されることで、係合部１１７ａ，１１７ａが軸部１２３から離反し、段部１２７と当接状態でなくなる。つまり、クラッチカバー１１５の軸線方向の移動規制が解除されるようになっている。これにより、クラッチカバー１１５は、図１１に示すように、カバー側係合手段１５１がクラッチ側係合手段１３９に係合する方向に押込み可能となる。
【００７２】
なお、図６，図９（ｂ）に示すように、基端側カバー１１５Ａ及び先端側カバー１１５Ｂの外周面における各摺動溝１５８の開口部分の周囲には、連続した平坦面１６１が形成され、クラッチカバー１１５自体を摘み易くしているとともに、各摺動摘み１１７の操作部１１７ｂが平坦面１６１より突出し、これら操作部１１７ｂの摘み操作を行いやすくしている。
また、本実施の形態では、摺動摘み１１７が二つ設けられる場合を例に説明しているが、本発明に係る防犯サムターンは、摺動摘み１１７を一つとしても同様の作用を奏するものである。
【００７３】
防犯サムターン１１１は、さらに、既存サムターンの摘み２１，クラッチ１１３，クラッチカバー１１５の一部、及び既存サムターンの化粧リング７３を覆う後付け化粧リング１７１を備えている。
後付け化粧リング１７１は、円錐筒状に形成され、止めネジ１３７を挿通するための貫通穴１７７が穿設される。また、内部には、基端内周面が既存サムターンの化粧リング７３に当接するテーパ面１７１ａを有し、基端側に圧縮バネ１８１が当接する段部１７８が形成されており、先端縁には、内側に向かって突出する鉤状の係止爪１７９が複数形成されている。
【００７４】
この後付け化粧リング１７１は、クラッチカバー１１５の基端側１を覆うように取り付けられ、すなわち後付け化粧リング１７１内に圧縮バネ１８１を内設させ、先端側からクラッチカバー１１５の基端側を係合突条１４６を爪部１７９内側に圧入するように嵌め入れ、後付け化粧リング１７１の段部１７８と係合突条１４６との間に圧縮バネ１８１が配置される状態となる。圧縮バネ１８１により係合突条１４６に対して段部１７８が扉面８７の方向に押圧されるように、すなわち後付け化粧リング１７１がクラッチカバー１１５に対して扉面８７側に押圧付勢され。後付け化粧リング１７１が化粧リング７３を抑え、かつこの化粧リング７３を扉面８７に押圧付勢することとなる。
【００７５】
なお、この第二の実施の形態における後付け化粧リング１７１は、既存サムターンの化粧リング７３の形状や大きさ（外径）に合わせ選択可能な構成、すなわち既存の化粧リング７３に適合可能な形状としておくことで、いずれの形状の既存のサムターンに取り付け可能となる。また、この後付け化粧リング１７１は、上記した圧縮バネ１８１による構成に換えて、上述した第１の実施の形態の取付板７５，７５と同様の構造にて既存サムターンの化粧リング７３に取り付ける構成としても良い。
【００７６】
上記のように構成される防犯サムターン１１１を、既存サムターンの摘み２１に取り付けるには、先ず、クラッチ１１３，クラッチカバー１１５，摺動摘み１１７を予め一体に組み付けたものを、化粧リング７３に後付け化粧リング１７１を外挿した状態とし取り付ける。そして、クラッチカバー１１５を押圧することにより、クラッチカバー１１５の貫通穴１５７を、後付け化粧リング１７１の貫通穴１７７，クラッチ１１３のメネジ１３５に一致させ、後付け化粧リング１７１の貫通穴１７７からメネジ１３５に止めネジ１３７を螺合し、六角レンチなどの工具で締めることにより、クラッチ１１３を既存サムターンの摘み２１に固定する。これにより、防犯サムターン１１１の取り付けが完了する。なお、貫通穴１７７には、図示しないがキャップ等を嵌め閉塞させることが好ましい。
【００７７】
次に、このようにして、既存サムターンの摘み２１に取り付けられた防犯サムターン１１１の動作を説明する。
防犯サムターン１１１は、通常時、クラッチカバー１１５が回動自在となる。その一方、クラッチカバー１１５は、摺動摘み１１７の係合部１１７ａが段部１２７に当接していることで、軸線方向には移動（押込み）不能となる。
【００７８】
解錠操作時には、摺動摘み１１７，１１７を摘む。すると、摺動摘み１１７の係合部１１７ａが段部１２７から外れ、クラッチカバー１１５の移動規制が解除されて、クラッチ１１３に接近する方向への移動、すなわち押込みが可能となる。この状態で、摺動摘み１１７，１１７を摘みながら、クラッチカバー１１５を押込むと、クラッチカバー１１５のカバー側係合手段１５１が、クラッチ１１３のクラッチ側係合手段１３９に噛合して、クラッチカバー１１５とクラッチ１１３との相対回転が規制されて、クラッチカバー１１５の回転操作力がクラッチ１１３へ伝達可能となる。
【００７９】
すなわち、摺動摘み１１７，１１７を摘みながらクラッチカバー１１５を押込み、さらにクラッチカバー１１５を解錠方向に回転することで、クラッチ１１３が回転され、クラッチ１１３に固着された既存サムターンの摘み２１が解錠回転される。
【００８０】
施錠方法は、この解錠方法と同様にして行うことができる。
【００８１】
このように、上記したこの防犯サムターン１１１によれば、既存サムターンの摘み２１がクラッチ１１３で覆われ、このクラッチ１１３がさらに円形のクラッチカバー１１５で覆われるので、針金や棒等を用いても、滑りにより回転力の入力が阻止される。そして、摺動摘み１１７の操作力を既存サムターンの摘み２１に伝達するには、摺動摘み１１７を摘み、摺動摘み１１７とともにクラッチカバー１１５を押しながら回転しなければならないため、針金により摺動摘み１１７を不正に操作しようとしても、クラッチカバー１１５が空転するのみとなる。
すなわち、摘みながら押して回すという三つの動作を同時に行わなければならず、指による直接的な操作以外では操作が極めて困難となり、針金や棒を使用しての解錠が殆ど不可能となる。また、摺動摘み１１７を摘んで、回転操作する動作は既存サムターンの摘み２１と同じとなり、それに新たに押す動作が加わるものの、手指による操作時ではこの押し動作は比較的容易に行えるので、違和感のない施解錠操作が可能となる。
【００８２】
また、クラッチカバー１１５に設けられた摺動摘み１１７が段部１２７に当接してクラッチ側への移動が規制される一方、この摺動摘み１１７が摺動操作されることで、規制が解除されて、クラッチカバー１１５の移動が可能となる。これにより摺動摘み１１７の摺動操作（すなわち、摘み操作）によって、クラッチカバー１１５を移動規制及び規制解除する機構が簡単な構造で実現可能となる。
【００８３】
さらに、クラッチカバー１１５等で覆われることで視認できなくなった摘み２１の回転位置が、回転位置表示手段１２６を介して知ることができ、操作性を向上させることができる。
【００８４】
第三の実施の形態
次に第三の実施の形態について説明する。
図１２は本発明に係る防犯サムターンの第三の実施の形態の一部を切り欠いた分解平断面図、図１３は図１２に示した防犯サムターンにおける通常時の縦断面図、図１４は同防犯サムターンの正面図、図１５は同防犯サムターンの平断面図、図１６は図１２に示した防犯サムターンにおける摘み操作時の平断面視を表した動作説明図、図１７は図１２に示した防犯サムターンにおける押込み時の平断面視を表した動作説明図、図１８は同押込み時の縦断面視を表した動作説明図である。
【００８５】
この第三の実施の形態による防犯サムターン２１１は、上記した第一，第二の実施の形態のように既存のサムターンの摘み２１に対して後付けとして構成するものではなく、施解錠装置としての室内側操作部分であるサムターンである。
この第三の実施の形態の防犯サムターン２１１は、その主要な構成として、図１２に示すサムターン軸２２１と、クラッチ２１３と、回転操作部材２１５と、操作部としての揺動摘み２１７とを有している。
【００８６】
サムターン軸２２１は、施解錠装置の機構部分である錠箱機構部３０１に装着されて連結され、この錠箱機構部３０１に回動操作力を入力する。錠箱機構部３０１は、例えば扉８８の戸先側に内設され、室外側にシリンダ錠３０２が連結される。
サムターン軸２２１は、断面略十字形に形成され、先端が錠箱機構部３０１に挿着され、基端には連結カラー２２２が連結される。連結カラー２２２は、扉面８７に固定される基台部２１９及び座金部材２２０に、Ｅリングなどの抜止部材２２９を介して、抜脱不能に取り付けられ、かつ回転自在に支持されて取り付けられる。
【００８７】
基台部２１９は、正面視で図１４に示すように、略小判状に形成され、室内側扉面８７に配置される化粧リングを兼ねるように構成される。そして、この基台部２１９と座金部材２２０とは、固定ネジなどの固定手段２３１にて扉面８７及び錠箱機構部３０１に固定される。
基台部２１９の略中央下部には、支持穴２１９ａが貫通形成され、上記連結カラー２２２が回転自在に配置される。
【００８８】
クラッチ２１３は、サムターン軸２２１の錠箱機構部３０１とは反対側となる端部に設けられる。クラッチ２１３は、連結基部２１８を有し、この連結基部２１８が上記連結カラー２２２に連結され、サムターン軸２２１と略一体となる。クラッチ２１３は、連結基部２１８の突出する面と反対側の面２１３ａに、クラッチ側係合手段２３９を有している。クラッチ側係合手段２３９は、周縁を軸線方向に突出させた複数の歯２４１を円周方向に等間隔で配設してなる。このクラッチ側係合手段２３９は、回転操作部材２１５に設けられる後述の操作部材側係合手段２５１に噛合する。
また、このクラッチ２１３には、面２１３ａにサムターン軸２２１の回動中心と同軸の軸部２２３が延設される。
本実施の形態では、連結基部２１８とともに貫通する取付穴２１３ｂを介し、連結基部２１８側から螺着される固定ネジなどの固定手段２３３にて、クラッチ２１３と軸部２２３が略一体となる。
【００８９】
軸部２２３は、真直な軸状部材で、中途部にはフランジ部２２４が形成される。フランジ部２２４の先端側段部２２７は、後述の説明で明らかとなるように、揺動摘み２１７が当接し、回転操作部材２１５の軸線方向の移動を規制するものとなる。また、フランジ部２２４の基端側段部２２５は、回転操作部材２１５の段部２４９に当接し、抜脱不能に規制するものとなる。
【００９０】
軸部２２３の先端は、後述する回転操作部材２１５を貫通して表出し、その先端面２２３ａには、回転位置表示手段２２６が設けられる。この回転位置表示手段２２６は、微小な凹凸による標示、印刷や刻印、或いは部分的な着色による色分け等とされる。例えば、図１４に示すように、解錠時では回転位置表示手段２２６は縦長状とされており、施錠する場合、すなわち、時計回りに９０度回転させると、横長状となり、解錠時と施錠時とが容易に識別可能となっている。
【００９１】
回転操作部材２１５は、略矩形枠状の挟持部２４３を備え、基部に略円筒形状の連結部２４７が形成される。回転操作部材２１５の連結部２４７は、筒状の被覆部２４５が外周に設けられ、基台部２１９に形成される筒状支持部２１９ｂに外挿される。また連結部２４７は、軸部２２３に回動自在に外挿される。連結部２４７には、挟持部２４３側に段部２４９が形成され軸部２２３の基端側段部２２５に当接し、これにより、この連結部２４７が軸部２２３からの抜脱が規制され軸部２２３の基端側で軸線方向に移動自在となる。つまり、回転操作部材２１５は、軸部２２３に対して回転自在かつ軸線方向に移動自在となって抜脱不能に外挿されている。
なお、回転操作部材２１５は、図１２，１３に示すように、挟持部２４３が、一側が開放した略コ字状の挟持部本体２４３ａと、この開放部分を閉じる前端板２４３ｂとで構成される。そして、この前端板２４３ｂは挟持部本体２４３ａにネジなどの固定手段２３５にて固定される。前端板２４３ｂの中央には貫通穴２６０が穿設されている。この貫通穴２６０は、軸部２２３の先端が貫通し、通常の状態では、その先端面２２３ａが面一となって位置する。
【００９２】
回転操作部材２１５は連結部２４７の基端面側に操作部材側係合手段２５１を有している。操作部材側係合手段２５１は、複数の歯２５３を連結部２４７と同一中心の円周方向に等間隔で配設してなる。この操作部材側係合手段２５１は、上記したクラッチ側係合手段２３９に噛合可能となっている。
【００９３】
回転操作部材２１５は、上記のように軸部２２３に抜脱不能に外挿されて取り付けられる。このようにして取り付けられたクラッチ２１３と回転操作部材２１５との間には付勢手段である圧縮バネ２５５が配設され、圧縮バネ２５５は回転操作部材２１５を軸部２２３の突出方向に付勢する。したがって、回転操作部材２１５は、押すことにより、圧縮バネ２５５の付勢力に抗してクラッチ２１３に接近する方向（図１２の左方向）に移動される。クラッチ２１３と回転操作部材２１５とは、この押込みにより、クラッチ側係合手段２３９と操作部材側係合手段２５１とが噛合して、相対回転が規制されるようになっている。
【００９４】
回転操作部材２１５は、圧縮バネ２５５によって付勢された位置で、図１３に示すように、被覆部２４５によって基台部２１９の筒状支持部２１９ｂを覆うようになっている。つまり、被覆部２４５と筒状支持部２１９ｂとは、図１３に示すように、オーバーハングしている。
【００９５】
回転操作部材２１５には、回転操作部材２１５の軸線と直交方向の揺動軸２６１を介して揺動自在となった操作部としての一対の揺動摘み２１７，２１７が取り付けられている。すなわち、枠状に形成される挟持部２４３の中空部分に揺動摘み２１７が位置し、これら挟持部２４３と各揺動摘み２１７とで略矩形平板状の摘み形状となる。揺動摘み２１７は、揺動軸２６１を挟み一端が揺動端２１７ａとなり、他端が平板状の摘み部２１７ｂとなっている。
【００９６】
一対の揺動摘み２１７，２１７は、枠状の挟持部２４３の内方に配設された圧縮バネ２６３によって摘み部２１７ｂ，２１７ｂ同士が離反方向に付勢されている。したがって、通常時、揺動摘み２１７の揺動端２１７ａ，２１７ａは、軸部２２３先端側を挟持した状態となって段部２２７に当接し、回転操作部材２１５のクラッチ２１３側への移動を規制している。
【００９７】
一方、揺動摘み２１７は、図１６に示すように、摘み部２１７ｂ，２１７ｂ同士が接近する方向に摘まれることで、揺動端２１７ａ，２１７ａが離反し、段部２２７と当接状態でなくなる。つまり、回転操作部材２１５の移動規制が解除されるようになっている。これにより、回転操作部材２１５は、図１７に示すように、操作部材側係合手段２５１がクラッチ側係合手段２３９に係合する方向に押込み可能となる。
【００９８】
なお、本実施の形態では、揺動摘み２１７が二つ設けられる場合を例に説明しているが、本発明に係る防犯サムターンは、揺動摘み２１７を一つとしても同様の作用を奏するものである。
【００９９】
次に、このような構成の防犯サムターン２１１の動作を説明する。
防犯サムターン２１１は、通常時、回転操作部材２１５が回動自在となる。その一方、回転操作部材２１５は、揺動摘み２１７の揺動端２１７ａが段部２２７に当接していることで、軸線方向には移動（押込み）不能となる。
【０１００】
解錠操作時には、揺動摘み２１７，２１７を摘む。すると、揺動摘み２１７の揺動端２１７ａが段部２２７から外れ、回転操作部材２１５の移動規制が解除されて、クラッチ２１３に接近する方向への移動、すなわち押込みが可能となる。この状態で、揺動摘み２１７，２１７を摘みながら、回転操作部材２１５を押込むと、回転操作部材２１５の操作部材側係合手段２５１が、クラッチ２１３のクラッチ側係合手段２３９に噛合して、回転操作部材２１５とクラッチ２１３との相対回転が規制されて、回転操作部材２１５の回転操作力がクラッチ２１３へ伝達可能となる。
【０１０１】
すなわち、揺動摘み２１７，２１７を摘みながら回転操作部材２１５を押込み、さらに回転操作部材２１５を解錠方向に回転することで、クラッチ２１３が回転され、クラッチ２１３に連結されたサムターン軸２２１が回転し、錠箱機構部３０１へ施錠操作力が入力される。
【０１０２】
施錠方法は、この解錠方法と同様にして行うことができる。
【０１０３】
このように、上記したこの防犯サムターン２１１によれば、軸部２２３に対して、回転操作部材２１５が回動自在となり、これにより、針金や棒等を用いても、錠箱機構部３０１への回転力の入力が阻止される。そして、その操作力を錠箱機構部３０１へと伝達するには、揺動摘み２１７を摘み、揺動摘み２１７とともに回転操作部材２１５を押しながら回転しなければならないため、針金により揺動摘み２１７を不正に操作しようとしても、回転操作部材２１５が空転するのみとなる。
すなわち、摘みながら押して回すという三つの動作を同時に行わなければならず、指による直接的な操作以外では操作が極めて困難となり、針金や棒を使用しての解錠が殆ど不可能となる。また、揺動摘み２１７を摘んで、回転操作する動作は、従来からのサムターンの操作と略同じとなり、それに新たに押す動作が加わるものの、手指による操作時ではこの押し動作は比較的容易に行えるので、違和感のない施解錠操作が可能となる。
【０１０４】
また、回転操作部材２１５に設けられた揺動摘み２１７が段部２２７に当接してクラッチ側への移動が規制される一方、この揺動摘み２１７が揺動操作されることで、規制が解除されて、回転操作部材２１５の移動が可能となる。これにより揺動摘み２１７の揺動操作（すなわち、摘み操作）によって、回転操作部材２１５を移動規制及び規制解除する機構が簡単な構造で実現可能となる。
【０１０５】
さらに、回動操作部材２１５の手前側の端面となる挟持部２４３の前端板２４３ｂ中央に、サムターン軸２２１に連結される軸部２２３の先端面が表出し、その先端面２２３ａに回転位置表示手段２２６を設けたので、錠箱機構部３０１での施解錠状態が一目瞭然となり、施解錠状態の確認を行うことができ、そして、操作性を向上させることができる。
【０１０６】
また、この防犯サムターン２１１によれば、錠箱機構部３０１側の施錠状態及び解錠状態を軸部先端面２２３ａの回転位置表示手段２２６にて容易に視認できることから、実際に施錠操作或いは解錠操作を行う回動操作部材２１５の軸部２２３に対する傾き角度位置について、既存のサムターンのように水平状態或いは垂直状態に固定されることがなく、例えば施解錠操作範囲の回転角度が９０度であったとしても、任意の位置から９０度回転操作を行うことで施錠或いは解錠とすることができ、施解錠を操作する操作者にとって摘み易い角度位置から施錠或いは解錠へと回転操作を行うことが可能となる。
【０１０７】
なお、上述した第三の実施の形態では、回転操作部材２１５の形状を略矩形枠状の挟持部２４３と揺動摘み２１７とで略矩形平板状の摘みとされる例について述べたが、上述した第二の実施の形態のように、回転操作部材の外形状を略円筒形状とし、その外周面に摺動摘みを備えるような構成としても良い。この場合も、錠箱機構部３０１に回動操作力を入力するサムターン軸を構成させ、このサムターン軸及びこれに連結される軸部に対して回転自在となる回転操作部材として構成させる。
【０１０８】
【発明の効果】
以上説明したように、本発明に係る請求項１記載の防犯サムターンによれば、軸部に対して、回転操作部材が回動自在となり、これにより、針金や棒等を用いても、錠箱機構部への回転力の入力が阻止される。そして、その操作力を錠箱機構部へと伝達するには、揺動摘みを摘み、揺動摘みとともに回転操作部材を押しながら回転しなければならないため、針金により揺動摘みを不正に操作しようとしても、回転操作部材が空転するのみとなる。すなわち、摘みながら押して回すという三つの動作を同時に行わなければならず、指による直接的な操作以外では操作が極めて困難となり、針金や棒を使用しての解錠が殆ど不可能となる。また、揺動摘みを摘んで、回転操作する動作は、従来からのサムターンの操作と略同じとなり、それに新たに押す動作が加わるものの、手指による操作時ではこの押し動作は比較的容易に行えるので、違和感のない施解錠操作が可能となる。
【０１０９】
請求項２記載の防犯サムターンによれば、回転操作部材に設けられた揺動摘みが段部に当接してクラッチ側への移動が規制される一方、この揺動摘みが揺動操作されることで、規制が解除されて、回転操作部材の移動が可能となる。これにより揺動摘みの揺動操作、すなわち、摘み操作によって、回転操作部材を移動規制及び規制解除する機構が簡単な構造で実現可能となる。
【０１１０】
請求項３記載の防犯サムターンによれば、回転操作部材を略平板状としたことで、施解錠の操作を行う際に、摘み易くなり、その操作性を向上させることが可能となる。
【０１１１】
請求項４記載の防犯サムターンによれば、回転自在な回転操作部材により施錠状態或いは解錠状態となる錠箱機構部内の視認できなくなった状態が、回転位置表示手段を介して知ることができ、施錠操作及び解錠操作の操作性を向上させることができる。
【０１１２】
請求項５記載の防犯サムターンによれば、既存サムターンの摘みがクラッチで覆われ、このクラッチがさらにクラッチカバーで覆われるので、針金や棒等を用いても、滑りにより回転力の入力が阻止される。そして、操作部の操作力を既存サムターンの摘みに伝達するには、操作部を摘み、操作部とともにクラッチカバーを押しながら回転しなければならないため、針金により揺動摘みを不正に操作しようとしても、クラッチカバーが空転するのみとなる。すなわち、摘みながら押して回すという三つの動作を同時に行わなければならず、指による直接的な操作以外では操作が極めて困難となり、針金や棒を使用しての解錠が殆ど不可能となる。また、操作部を摘んで、回転操作する動作は既存サムターンの摘みと同じとなり、それに新たに押す動作が加わるものの、手指による操作時ではこの押し動作は比較的容易に行えるので、違和感のない施解錠操作が可能となる。
【０１１３】
請求項６記載の防犯サムターンによれば、既存サムターンの摘みがクラッチで覆われ、このクラッチがさらに円形のクラッチカバーで覆われるので、針金や棒等を用いても、滑りにより回転力の入力が阻止される。そして、揺動摘みの操作力を既存サムターンの摘みに伝達するには、揺動摘みを摘み、揺動摘みとともにクラッチカバーを押しながら回転しなければならないため、針金により揺動摘みを不正に操作しようとしても、クラッチカバーが空転するのみとなる。すなわち、摘みながら押して回すという三つの動作を同時に行わなければならず、指による直接的な操作以外では操作が極めて困難となり、針金や棒を使用しての解錠が殆ど不可能となる。また、揺動摘みを摘んで、回転操作する動作は既存サムターンの摘みと同じとなり、それに新たに押す動作が加わるものの、手指による操作時ではこの押し動作は比較的容易に行えるので、違和感のない施解錠操作が可能となる。この結果、着脱部材を不要にし、防犯性、操作性を向上させることができる。
【０１１４】
請求項７記載の防犯サムターンによれば、クラッチカバーに設けられた揺動摘みが段部に当接してクラッチ側への移動が規制される一方、この揺動摘みが揺動操作されることで、規制が解除されて、クラッチカバーの移動が可能となる。これにより揺動摘みの揺動操作（すなわち、摘み操作）によって、クラッチカバーを移動規制及び規制解除する機構が簡単な構造で実現可能となる。
【０１１５】
請求項８記載の防犯サムターンによれば、揺動摘みの平板状の摘み部が既存サムターンの摘みと平行に取り付けられていることで、既存サムターンの施解錠状態が一目瞭然となり、所望の操作前に、クラッチカバーを一旦回して既存サムターンの施解錠状態を確認するなどの動作が不要になり、操作性が向上する。
【０１１６】
請求項９記載の防犯サムターンによれば、既存サムターンの摘みがクラッチで覆われ、このクラッチがさらに円形のクラッチカバーで覆われるので、針金や棒等を用いても、滑りにより回転力の入力が阻止される。そして、摺動摘みの操作力を既存サムターンの摘みに伝達するには、摺動摘みを摘み、摺動摘みとともにクラッチカバーを押しながら回転しなければならないため、針金により摺動摘みを不正に操作しようとしても、クラッチカバーが空転するのみとなる。すなわち、摘みながら押して回すという三つの動作を同時に行わなければならず、指による直接的な操作以外では操作が極めて困難となり、針金や棒を使用しての解錠が殆ど不可能となる。また、摺動摘みを摘んで、回転操作する動作は既存サムターンの摘みと同じとなり、それに新たに押す動作が加わるものの、手指による操作時ではこの押し動作は比較的容易に行えるので、違和感のない施解錠操作が可能となる。
【０１１７】
また、クラッチカバーに設けられた摺動摘みが段部に当接してクラッチ側への移動が規制される一方、この摺動摘みが摺動操作されることで、規制が解除されて、クラッチカバーの移動が可能となる。これにより摺動摘みの摺動操作、すなわち、摘み操作によって、クラッチカバーを移動規制及び規制解除する機構が簡単な構造で実現可能となる。
【０１１８】
請求項１０記載の防犯サムターンによれば、クラッチカバー等で覆われることで視認できなくなった摘みの回転位置が、回転位置表示手段を介して知ることができ、操作性を向上させることが可能となる。
【図面の簡単な説明】
【図１】本発明に係る防犯サムターンの分解斜視図である。
【図２】図１に示した防犯サムターンの一部を切り欠いた分解側面図である。
【図３】図１に示した防犯サムターンにおける通常時の縦断面視を（ａ）、正面視を（ｂ）に表した動作説明図である。
【図４】図１に示した防犯サムターンにおける摘み操作時の縦断面視を（ａ）、正面視を（ｂ）に表した動作説明図である。
【図５】図１に示した防犯サムターンにおける押込み時の縦断面視を表した動作説明図である。
【図６】本発明に係る防犯サムターンの第二の実施の形態の分解斜視図である。
【図７】図６に示した防犯サムターンの一部を切り欠いた分解側面図である。
【図８】同防犯サムターンのクラッチカバーの一部を示す分解斜視図である。
【図９】図６に示した防犯サムターンにおける通常時の縦断面視を（ａ），正面視を（ｂ）に表した動作説明図である。
【図１０】図６に示した防犯サムターンにおける摘み操作時の縦断面視を表した動作説明図である。
【図１１】図６に示した防犯サムターンにおける押込み時の縦断面視を表した動作説明図である。
【図１２】本発明に係る防犯サムターンの第三の実施の形態の一部を切り欠いた分解平断面図である。
【図１３】図１２に示した防犯サムターンにおける通常時の縦断面図である。
【図１４】同防犯サムターンの正面図である。
【図１５】同防犯サムターンの平断面図である。
【図１６】図１２に示した防犯サムターンにおける摘み操作時の平断面視を表した動作説明図である。
【図１７】図１２に示した防犯サムターンにおける押込み時の平断面視を表した動作説明図である。
【図１８】同押込み時の縦断面視を表した動作説明図である。
【図１９】従来の防犯カバーの扉への取り付け状態を示す斜視図である。
【図２０】図１９に示した防犯カバーの内部状態を表す断面図である。
【図２１】図１９に示した防犯カバーの別態様を表す部分破断側面図である。
【図２２】図１９に示した防犯カバーのさらに別態様を表す部分破断側面図である。
【符号の説明】
１１，１１１，２１１…防犯サムターン
１３，１１３，２１３…クラッチ
１５，１１５…クラッチカバー
１７，２１７…操作部（揺動摘み）
１９，１１９…円形基台部
２１…既存サムターンの摘み
２３，１２３，２２３…軸部
２７，１２７，２２７…段部
５１…係合手段（カバー側係合手段）
６１，２６１…揺動軸
１１７…操作部（摺動摘み）
１２３ａ，２２３ａ…先端面
１２６，２２６…回転位置表示手段
２１５…回転操作部材
２５１…係合手段（操作部材側係合手段）
３０１…錠箱機構部
【図１】
2004169514.tif 000003
【図２】
2004169514.tif 000004
【図３】
2004169514.tif 000005
【図４】
2004169514.tif 000006
【図５】
2004169514.tif 000007
【図６】
2004169514.tif 000008
【図７】
2004169514.tif 000009
【図８】
2004169514.tif 000010
【図９】
2004169514.tif 000011
【図１０】
2004169514.tif 000012
【図１１】
2004169514.tif 000013
【図１２】
2004169514.tif 000014
【図１３】
2004169514.tif 000015
【図１４】
2004169514.tif 000016
【図１５】
2004169514.tif 000017
【図１６】
2004169514.tif 000018
【図１７】
2004169514.tif 000019
【図１８】
2004169514.tif 000020
【図１９】
2004169514.tif 000021
【図２０】
2004169514.tif 000022
【図２１】
2004169514.tif 000023
【図２２】
2004169514.tif 000024